【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
清浄剤を調製するためのプロセスであって、該プロセスは、
（ａ）溶媒（代表的に、油状媒体、または炭化水素溶媒（例えば、アルカン（代表的には、ヘキサン）、またはトルエン））の存在下で、および必要に応じて、さらにアルコールの存在下で、
（ｉ）酸性清浄剤基質、および
（ｉｉｉ）塩基性金属化合物
の混合物を反応させる工程；
（ｂ）必要に応じて、（ａ）の生成物と、二酸化炭素とを反応させて、過塩基性清浄剤を形成する工程；ならびに
（ｃ）必要に応じて、揮発性物質（代表的には、溶媒、水またはアルコール）を、（ａ）または（ｂ）の生成物から除去する工程；
を包含し、ここでヒドロキシカルボン酸、またはその反応性等価物は、（ａ）、（ｂ）、（ｃ）、および工程（ａ）〜（ｃ）の混合からなる群より選択されるいずれか必要とされる工程のうちの少なくとも１つに添加される、プロセス。
【請求項２】
清浄剤を調製するためのプロセスであって、該プロセスは、
（ａ）溶媒（代表的には、油状媒体、または炭化水素溶媒（例えば、アルカン（代表的には、ヘキサン）、またはトルエン））、の存在下で、および必要に応じて、さらにアルコールの存在下で、
（ｉ）酸性清浄剤基質、および
（ｉｉｉ）塩基性金属化合物
の混合物を反応させる工程；
（ｂ）（ａ）の生成物と、二酸化炭素とを反応させて、過塩基性清浄剤を形成する工程；ならびに
（ｃ）必要に応じて、揮発性物質（代表的には、溶媒、水またはアルコール）を、（ａ）または（ｂ）の生成物から除去する工程；
を包含し、ここでヒドロキシカルボン酸、またはその反応性等価物は、工程（ａ）、（ｂ）、または工程（ａ）もしくは（ｂ）の混合のうちの少なくとも１つに添加される、プロセス。
【請求項３】
清浄剤を調製するためのプロセスであって、該プロセスは、
（ａ）溶媒（代表的には、油状媒体、または炭化水素溶媒（例えば、アルカン（代表的には、ヘキサン）、またはトルエン））の存在下で、および必要に応じて、さらにアルコールの存在下で、
（ｉ）酸性清浄剤基質、および
（ｉｉｉ）塩基性金属化合物
の混合物を反応させる工程；
（ｂ）（ａ）の生成物と、ヒドロキシカルボン酸、またはその反応性等価物、および二酸化炭素とを反応させて、過塩基性清浄剤を形成する工程；ならびに
（ｃ）必要に応じて、揮発性物質（代表的には、溶媒、水またはアルコール）を、（ａ）または（ｂ）の生成物から除去する工程；
を包含する、プロセス。
【請求項４】
清浄剤を調製するためのプロセスであって、該プロセスは、
（ａ）溶媒（代表的には、油状媒体、または炭化水素溶媒（例えば、アルカン（代表的には、ヘキサン）、またはトルエン））の存在下で、および必要に応じて、さらにアルコールの存在下で、
（ｉ）ヒドロキシカルボン酸、
（ｉｉ）酸性清浄剤基質、および
（ｉｉｉ）塩基性金属化合物
の混合物を反応させる工程；
（ｂ）（ａ）の生成物と、二酸化炭素とを反応させて、過塩基性清浄剤を形成する工程；ならびに
（ｃ）必要に応じて、揮発性物質（代表的には、溶媒、水またはアルコール）を、（ｂ）の生成物から除去する工程、
を包含する、プロセス。
【請求項５】
工程（ｂ）を要し、過塩基性清浄剤を調製するプロセスを生じ、そして前記清浄剤は、２００〜６００、または３００〜５５０、または３５０〜５００ｍｇ  ＫＯＨ／ｇのＴＢＮを有する、請求項１に記載のプロセス。
【請求項６】
前記塩基性金属化合物は、一価、二価、または三価の金属を含み、該金属のヒドロキシドまたはオキシドである、請求項１〜５のいずれか１項に記載のプロセス。
【請求項７】
前記金属は、アルカリ金属またはアルカリ土類金属である、請求項６に記載のプロセス。
【請求項８】
前記金属は、リチウム、ナトリウム、カリウム、マグネシウム、カルシウム、バリウム、またはこれらの混合物である、請求項６または７に記載のプロセス。
【請求項９】
前記酸性清浄剤基質は、ヒドロカルビル置換されたスルホン酸、ヒドロカルビル置換されたヒドロキシ芳香族酸、またはこれらの混合物である、請求項１〜８のいずれか１項に記載のプロセス。
【請求項１０】
前記酸性清浄剤基質は、ヒドロカルビル置換された有機酸またはヒドロカルビル置換されたフェノールである、請求項１〜９のいずれか１項に記載のプロセス。
【請求項１１】
前記ヒドロキシカルボン酸は、非芳香族である、請求項１〜１０のいずれか１項に記載のプロセス。
【請求項１２】
前記ヒドロキシカルボン酸は、以下の式：
【化２】
2014500387.tif 000001
によって表され、ここで
ｎおよびｍは、独立して、１〜５の整数であり；
Ｘは、脂肪族基もしくは脂環式基、または炭素鎖中に酸素原子を含む脂肪族基もしくは脂環式基、あるいは前述のタイプの置換された基であって、該基は、最大６個の炭素原子を含み、ｎ＋ｍ個の利用可能な結合点を有する、基であり；
各Ｙは、独立して、−Ｏ−、＞ＮＨ、もしくは＞ＮＲ１であるか、または２個のＹが一緒になって、２個のカルボニル基の間で形成されるイミド構造Ｒ−Ｎ＜の窒素を表し；そして
各ＲおよびＲ１は、独立して、水素またはヒドロカルビル基であり、
各Ｒ２は、独立して、水素、ヒドロカルビル基またはアシル基であるが、ただし少なくとも１個の−ＯＲ２基は、該−Ｃ（Ｏ）−Ｙ−Ｒ基のうちの少なくとも１個に対してαまたはβであるＸ内の炭素原子上に位置し、ただしＲおよびＲ２のうちの少なくとも一方は、水素である（代表的には、ＲおよびＲ２の全てが水素である）、請求項１〜１１のいずれか１項に記載のプロセス。
【請求項１３】
前記ヒドロキシカルボン酸は、酒石酸、リンゴ酸、クエン酸、またはこれらの混合物である、請求項１〜１２のいずれか１項に記載のプロセス。
【請求項１４】
前記ヒドロキシカルボン酸は、乳酸、リンゴ酸、またはこれらの混合物である、請求項１〜１１のいずれか１項に記載のプロセス。
【請求項１５】
前記酸性清浄剤基質および前記ヒドロキシカルボン酸は、該酸性清浄剤基質  対  該ヒドロキシカルボン酸のモル比が２０：１〜１：２、または２０：１〜１：１、または１８：１〜１：１の範囲にある反応物として存在する、請求項１〜１４のいずれか１項に記載のプロセス。
【請求項１６】
請求項１〜１５のいずれか１項に記載のプロセスによって得られた／得ることができる、生成物。
【請求項１７】
潤滑粘度の油および請求項１６に記載の生成物を含む、潤滑組成物。
【請求項１８】
前記生成物は、前記潤滑組成物のうちの０．０１重量％〜８重量％、または０．１重量％〜６重量％、または０．１５重量％〜５重量％、または０．２重量％〜３重量％の範囲において存在する、請求項１７に記載の潤滑組成物。
【請求項１９】
内燃機関を潤滑する方法であって、該方法は、該内燃機関に、請求項１７〜１８のいずれか１項に記載の潤滑組成物を供給する工程を包含する、方法。
【請求項２０】
前記内燃機関は、シリンダーボア、シリンダーブロック、またはピストンリング上に鋼表面を有する、請求項１９に記載の方法。
【請求項２１】
前記内燃機関は、鋼、またはアルミニウム合金、またはアルミニウム複合材の表面を有する、請求項１９に記載の方法。
【請求項２２】
動力伝達経路デバイスを潤滑する方法であって、該方法は、該動力伝達経路デバイスに、請求項１７〜１８のいずれか１項に記載の潤滑組成物を供給する工程を包含する、方法。
【請求項２３】
前記動力伝達経路デバイスは、マニュアルトランスミッションを含み、該マニュアルトランスミッションは、シンクロナイザーシステム、または車軸を含んでいても含んでいなくてもよい、請求項２２に記載の方法。
【手続補正２】
【補正対象書類名】明細書
【補正対象項目名】００２９
【補正方法】変更
【補正の内容】
【００２９】
本明細書に記載されるプロセスによって得られた／得ることができる生成物は、上記潤滑組成物のうちの０．０１重量％〜８重量％、または０．１重量％〜６重量％、または０．１５重量％〜５重量％、または０．２重量％〜３重量％の範囲において存在し得る。一実施形態において、上記化合物は、上記潤滑組成物のうちの０．２重量％〜３重量％において存在し得る。
一実施形態において、例えば、以下の項目が提供される。
（項目１）
清浄剤を調製するためのプロセスであって、該プロセスは、
（ａ）溶媒（代表的に、油状媒体、または炭化水素溶媒（例えば、アルカン（代表的には、ヘキサン）、またはトルエン））の存在下で、および必要に応じて、さらにアルコールの存在下で、
（ｉ）酸性清浄剤基質、および
（ｉｉｉ）塩基性金属化合物
の混合物を反応させる工程；
（ｂ）必要に応じて、（ａ）の生成物と、二酸化炭素とを反応させて、過塩基性清浄剤を形成する工程；ならびに
（ｃ）必要に応じて、揮発性物質（代表的には、溶媒、水またはアルコール）を、（ａ）または（ｂ）の生成物から除去する工程；
を包含し、ここでヒドロキシカルボン酸、またはその反応性等価物は、（ａ）、（ｂ）、（ｃ）、および工程（ａ）〜（ｃ）の混合からなる群より選択されるいずれか必要とされる工程のうちの少なくとも１つに添加される、プロセス。
（項目２）
清浄剤を調製するためのプロセスであって、該プロセスは、
（ａ）溶媒（代表的には、油状媒体、または炭化水素溶媒（例えば、アルカン（代表的には、ヘキサン）、またはトルエン））、の存在下で、および必要に応じて、さらにアルコールの存在下で、
（ｉ）酸性清浄剤基質、および
（ｉｉｉ）塩基性金属化合物
の混合物を反応させる工程；
（ｂ）（ａ）の生成物と、二酸化炭素とを反応させて、過塩基性清浄剤を形成する工程；ならびに
（ｃ）必要に応じて、揮発性物質（代表的には、溶媒、水またはアルコール）を、（ａ）または（ｂ）の生成物から除去する工程；
を包含し、ここでヒドロキシカルボン酸、またはその反応性等価物は、工程（ａ）、（ｂ）、または工程（ａ）もしくは（ｂ）の混合のうちの少なくとも１つに添加される、プロセス。
（項目３）
清浄剤を調製するためのプロセスであって、該プロセスは、
（ａ）溶媒（代表的には、油状媒体、または炭化水素溶媒（例えば、アルカン（代表的には、ヘキサン）、またはトルエン））の存在下で、および必要に応じて、さらにアルコールの存在下で、
（ｉ）酸性清浄剤基質、および
（ｉｉｉ）塩基性金属化合物
の混合物を反応させる工程；
（ｂ）（ａ）の生成物と、ヒドロキシカルボン酸、またはその反応性等価物、および二酸化炭素とを反応させて、過塩基性清浄剤を形成する工程；ならびに
（ｃ）必要に応じて、揮発性物質（代表的には、溶媒、水またはアルコール）を、（ａ）または（ｂ）の生成物から除去する工程；
を包含する、プロセス。
（項目４）
清浄剤を調製するためのプロセスであって、該プロセスは、
（ａ）溶媒（代表的には、油状媒体、または炭化水素溶媒（例えば、アルカン（代表的には、ヘキサン）、またはトルエン））の存在下で、および必要に応じて、さらにアルコールの存在下で、
（ｉ）ヒドロキシカルボン酸、
（ｉｉ）酸性清浄剤基質、および
（ｉｉｉ）塩基性金属化合物
の混合物を反応させる工程；
（ｂ）（ａ）の生成物と、二酸化炭素とを反応させて、過塩基性清浄剤を形成する工程；ならびに
（ｃ）必要に応じて、揮発性物質（代表的には、溶媒、水またはアルコール）を、（ｂ）の生成物から除去する工程、
を包含する、プロセス。
（項目５）
工程（ｂ）を要し、過塩基性清浄剤を調製するプロセスを生じ、そして前記清浄剤は、２００〜６００、または３００〜５５０、または３５０〜５００ｍｇ  ＫＯＨ／ｇのＴＢＮを有する、項目１に記載のプロセス。
（項目６）
工程（ｂ）は行われず、非過塩基性清浄剤を調製するプロセスを生じる、項目１に記載のプロセス。
（項目７）
前記塩基性金属化合物は、前記金属のヒドロキシドまたはオキシドである、前記項目のいずれかに記載のプロセス。
（項目８）
前記塩基性金属化合物は、一価、二価、または三価の金属を含む、前記項目のいずれかに記載のプロセス。
（項目９）
前記金属は、アルカリ金属またはアルカリ土類金属である、項目８に記載のプロセス。
（項目１０）
前記金属は、リチウム、ナトリウム、カリウム、マグネシウム、カルシウム、バリウム、またはこれらの混合物である、項目８または９に記載のプロセス。
（項目１１）
前記金属は、カルシウムまたはマグネシウムである、項目８または９のいずれかに記載のプロセス。
（項目１２）
前記酸性清浄剤基質は、ヒドロカルビル置換されたスルホン酸、ヒドロカルビル置換されたヒドロキシ芳香族酸、またはこれらの混合物である、前記項目のいずれかに記載のプロセス。
（項目１３）
前記酸性清浄剤基質は、ヒドロカルビル置換されたスルホン酸またはこれらの混合物である、前記項目のいずれかに記載のプロセス。
（項目１４）
前記酸性清浄剤基質は、ヒドロカルビル置換された有機酸またはヒドロカルビル置換されたフェノールである、前記項目のいずれかに記載のプロセス。
（項目１５）
前記ヒドロキシカルボン酸は、非芳香族である、前記項目のいずれかに記載のプロセス。
（項目１６）
前記ヒドロキシカルボン酸は、以下の式：
【化２】
2014500387.tif 000002
によって表され、ここで
ｎおよびｍは、独立して、１〜５の整数であり；
Ｘは、脂肪族基もしくは脂環式基、または炭素鎖中に酸素原子を含む脂肪族基もしくは脂環式基、あるいは前述のタイプの置換された基であって、該基は、最大６個の炭素原子を含み、ｎ＋ｍ個の利用可能な結合点を有する、基であり；
各Ｙは、独立して、−Ｏ−、＞ＮＨ、もしくは＞ＮＲ１であるか、または２個のＹが一緒になって、２個のカルボニル基の間で形成されるイミド構造Ｒ−Ｎ＜の窒素を表し；そして
各ＲおよびＲ１は、独立して、水素またはヒドロカルビル基であり、
各Ｒ２は、独立して、水素、ヒドロカルビル基またはアシル基であるが、ただし少なくとも１個の−ＯＲ２基は、該−Ｃ（Ｏ）−Ｙ−Ｒ基のうちの少なくとも１個に対してαまたはβであるＸ内の炭素原子上に位置し、ただしＲおよびＲ２のうちの少なくとも一方は、水素である（代表的には、ＲおよびＲ２の全てが水素である）、
前記項目のいずれかに記載のプロセス。
（項目１７）
前記ヒドロキシカルボン酸は、酒石酸、リンゴ酸、クエン酸、またはこれらの混合物である、前記項目のいずれかに記載のプロセス。
（項目１８）
前記ヒドロキシカルボン酸は、酒石酸、クエン酸、またはこれらの混合物（代表的には、酒石酸）である、前記項目のいずれかに記載のプロセス。
（項目１９）
前記ヒドロキシカルボン酸は、乳酸、リンゴ酸、またはこれらの混合物である、項目１〜１５のいずれか１項に記載のプロセス。
（項目２０）
前記酸性清浄剤基質および前記ヒドロキシカルボン酸は、該酸性清浄剤基質  対  該ヒドロキシカルボン酸のモル比が２０：１〜１：２、または２０：１〜１：１、または１８：１〜１：１の範囲にある反応物として存在する、前記項目のいずれかに記載のプロセス。
（項目２１）
項目１〜２０のいずれかに記載のプロセスによって得られた／得ることができる、生成物。
（項目２２）
潤滑粘度の油および項目２１に記載の生成物を含む、潤滑組成物。
（項目２３）
前記生成物は、前記潤滑組成物のうちの０．０１重量％〜８重量％、または０．１重量％〜６重量％、または０．１５重量％〜５重量％、または０．２重量％〜３重量％の範囲において存在する、項目２２に記載の潤滑組成物。
（項目２４）
内燃機関を潤滑する方法であって、該方法は、該内燃機関に、項目２２〜２３のいずれかに記載の潤滑組成物を供給する工程を包含する、方法。
（項目２５）
前記内燃機関は、シリンダーボア、シリンダーブロック、またはピストンリング上に鋼表面を有する、項目２４に記載の方法。
（項目２６）
前記内燃機関は、鋼、またはアルミニウム合金、またはアルミニウム複合材の表面を有する、項目２４に記載の方法。
（項目２７）
動力伝達経路デバイスを潤滑する方法であって、該方法は、該動力伝達経路デバイスに、項目２２〜２３のいずれかに記載の潤滑組成物を供給する工程を包含する、方法。
（項目２８）
前記動力伝達経路デバイスは、マニュアルトランスミッションを含み、該マニュアルトランスミッションは、シンクロナイザーシステム、または車軸を含んでいても含んでいなくてもよい、項目２７に記載の方法。